(57)【特許請求の範囲】
【請求項１】
第１基板と、前記第１基板と対向する第２基板と、前記第２基板とは反対側に前記第１基板が有する表面及び前記第１基板とは反対側に前記第２基板が有する裏面にそれぞれ貼りつけられた偏光板と、を含む液晶表示パネルと、
前記裏面に取り付けられたフレームと、
前記フレームの内側に配置されたバックライトと、
前記表面側に重ねられた電子パネルと、
を有し、
前記電子パネルは、前記液晶表示パネルからはみ出す突出端部を有し、
前記フレームは、前記裏面に対向する第１部分と、前記液晶表示パネルの側方で前記第１部分から前記電子パネルの前記突出端部の方向に立ち上がる第２部分と、を有し、
前記電子パネルの前記突出端部は、前記第２部分と非接着状態で対向し、
前記第１基板は、前記表面の端部に前記偏光板が貼り付けられていない第１の領域を有し、
前記電子パネルの外周端部は、前記液晶表示パネルからはみ出す前記突出端部の他に、前記第１の領域に対向する対向端部を有し、
前記対向端部と前記第１の領域との間にスペーサが介在することを特徴とする液晶表示装置。
【請求項２】
請求項１に記載された液晶表示装置において、
前記第２部分の前記電子パネルの前記突出端部と対向する面は、前記裏面よりも、前記電子パネルの前記突出端部に近いことを特徴とする液晶表示装置。
【請求項３】
請求項１に記載された液晶表示装置において、
前記第２部分と前記電子パネルの前記突出端部との間の間隔は、０．１５ｍｍ以内であることを特徴とする液晶表示装置。
【請求項４】
請求項１から３のいずれか１項に記載された液晶表示装置において、
前記電子パネルは、矩形の平面形状を有し、
前記矩形の３辺が、前記突出端部の先端であり、
前記矩形の残りの１辺が、前記対向端部の先端であることを特徴とする液晶表示装置。
【請求項５】
請求項４に記載された液晶表示装置において、
前記第２基板は、前記第１基板の前記第１の領域から突出する第２の領域を有し、
前記第２の領域には、集積回路チップ及びフレキシブル配線基板が搭載されていることを特徴とする液晶表示装置。
【請求項６】
請求項１から５のいずれか１項に記載された液晶表示装置において、
前記スペーサは、樹脂からなることを特徴とする液晶表示装置。
【請求項７】
請求項１から６のいずれか１項に記載された液晶表示装置において、
前記スペーサと前記電子パネルの前記対向端部とは所定の間隔を有することを特徴とする液晶表示装置。
【請求項８】
請求項７に記載された液晶表示装置において、
前記所定の間隔は０．１ｍｍ以内であることを特徴とする液晶表示装置。
【請求項９】
請求項１から８のいずれか１項に記載された液晶表示装置において、
前記電子パネルは、タッチパネル又は裸眼立体視を実現するための視差バリアパネルであることを特徴とする液晶表示装置。
【発明の詳細な説明】
【技術分野】
【０００１】
本発明は、液晶表示装置に関する。
【背景技術】
【０００２】
近年、液晶表示パネルの小型化の要求から、表示領域の周囲の額縁領域を狭くするための研究が重ねられてきた。その結果、額縁領域を狭くすることが可能になり、表示領域が同じであっても、マザーパネルからの面取り数が増えるためコスト削減に寄与するという効果ももたらされた。一方、液晶表示パネルに、他のパネルを重ねた装置が開発されてきた。例えば、特許文献１には、液晶表示パネルにタッチパネルを重ねた装置が開示されている。
【先行技術文献】
【特許文献】
【０００３】
【特許文献１】特開２０１０−６１０２６号公報
【発明の概要】
【発明が解決しようとする課題】
【０００４】
上述したように、液晶表示パネルが小型化されてきているのに対して、タッチパネルの小型化は進んでいない。そのため、液晶表示パネルよりもタッチパネルが大きくなっており、タッチパネルの端部が液晶表示パネルからはみ出すようになっている。さらに、液晶表示パネルを保持するフレームからもタッチパネルがはみ出す。そのため、タッチパネルの端部は浮いた状態となり割れやすくなっていた。
【０００５】
本発明は、液晶表示パネルに貼り付けられる電子パネルの破損を防止することを目的とする。
【課題を解決するための手段】
【０００６】
（１）本発明に係る液晶表示装置は、表面及び前記表面とは反対側の裏面を有するパネル基板と、前記パネル基板を挟んで配置された偏光板とを含む液晶表示パネルと、前記パネル基板の前記裏面に取り付けられたフレームと、前記フレームの内側に配置されたバックライトと、前記パネル基板の前記表面側に重ねられた電子パネルと、を有し、前記電子パネルは、前記パネル基板からはみ出す突出端部を有し、前記フレームは、前記パネル基板の前記裏面に対向する第１部分と、前記パネル基板の側方で前記第１部分から前記電子パネルの前記突出端部の方向に立ち上がる第２部分と、を有し、前記電子パネルの前記突出端部は、前記第２部分と非接着状態で対向することを特徴とする。本発明によれば、パネル基板から電子パネルが突出するが、その突出端部をフレームの第２部分がサポートできるようになっている。したがって、パネル基板に貼り付けられる電子パネルの破損を防止することができる。
【０００７】
（２）（１）に記載された液晶表示装置において、前記第２部分の前記電子パネルの前記突出端部と対向する面は、前記パネル基板の前記裏面よりも、前記電子パネルの前記突出端部に近いことを特徴としてもよい。
【０００８】
（３）（１）に記載された液晶表示装置において、前記第２部分と前記電子パネルの前記突出端部との間の間隔は、０．１５ｍｍ以内であることを特徴としてもよい。
【０００９】
（４）（１）から（３）のいずれか１項に記載された液晶表示装置において、前記電子パネルの外周端部は、前記パネル基板からはみ出す前記突出端部の他に、前記パネル基板に対向する対向端部を有し、前記電子パネルは、矩形の平面形状を有し、前記矩形の３辺が、前記突出端部の先端であり、前記矩形の残りの１辺が、前記対向端部の先端であることを特徴としてもよい。
【００１０】
（５）（４）に記載された液晶表示装置において、前記電子パネルの前記対向端部と前記パネル基板との間にスペーサが介在することを特徴としてもよい。
【００１１】
（６）（５）に記載された液晶表示装置において、前記パネル基板の前記表面に、前記表面の端部を避けて貼り付けられた前記偏光板を有し、前記電子パネルは、前記偏光板に貼り付けられ、前記スペーサは、前記表面の前記端部に位置することを特徴としてもよい。
【００１２】
（７）（６）に記載された液晶表示装置において、前記パネル基板は、第１基板及び第２基板を有し、前記第１基板に前記偏光板が貼り付けられ、前記第２基板は、前記第１基板から突出し、前記第２基板の前記第１基板から突出した部分に搭載された集積回路チップ及びフレキシブル配線基板をさらに有することを特徴としてもよい。
【００１３】
（８）（７）に記載された液晶表示装置において、前記スペーサは、前記第２基板を避けて前記第１基板に搭載されていることを特徴としてもよい。
【００１４】
（９）（１）から（８）のいずれか１項に記載された液晶表示装置において、前記電子パネルは、タッチパネル又は裸眼立体視を実現するための視差バリアパネルであることを特徴としてもよい。
【図面の簡単な説明】
【００１５】
【図１】本発明の実施形態に係る液晶表示装置を示す平面図である。
【図２】図１に示す液晶表示装置のII−II線断面図である。
【図３】図１に示す液晶表示装置のIII−III線断面図である。
【図４】本発明の実施形態に係るフレームの平面図である。
【発明を実施するための形態】
【００１６】
以下、本発明の実施形態について図面を参照して説明する。
【００１７】
図１は、本発明の実施形態に係る液晶表示装置を示す平面図である。図２は、図１に示す液晶表示装置のII−II線断面図である。図３は、図１に示す液晶表示装置のIII−III線断面図である。図４は、本発明の実施形態に係る液晶表示装置のフレームを液晶パネル側から見た平面図である。
【００１８】
液晶表示装置は、液晶表示パネル１０１を有する。パネル基板１０は、パネル基板表面１２及びパネル基板表面１２とは反対側のパネル基板裏面１４を有する。液晶表示パネル１０１は、第１基板１６及び第２基板１８（いずれも例えばガラス基板）を有し、両者間には図示しない液晶が介在している。第１基板１６の外側面（第２基板１８とは反対側の面）がパネル基板表面１２であり、第２基板１８の外側面（第１基板１６とは反対側の面）がパネル基板裏面１４である。パネル基板１０の表面１２及び裏面１４にはそれぞれ偏光板２０が貼り付けられている。液晶表示パネル１０１は、パネル基板１０とパネル基板１０を挟んで配置される偏光板２０によって構成される。例えば、第１基板１６（表面１２）には、表面１２の端部を避けて、偏光板２０が貼り付けられている。
【００１９】
第１基板１６はカラーフィルタ基板であり、第２基板１８は、薄膜トランジスタ、画素電極及び配線などを含むＴＦＴ（Thin Film Transistor）基板（又はアレイ基板）である。液晶表示パネル１０１の駆動方式は、IPS（In Plane Switching）方式、TN（Twisted Nematic）方式又はVA（Vertical Alignment）方式などいずれの方式であってもよく、方式に応じた電極及び配線が形成される。
【００２０】
図３に示すように、第２基板１８は、第１基板１６から突出している。例えば、第１基板１６及び第２基板１８がそれぞれ矩形の平面形状を有し、第１基板１６の一辺から、第２基板１８の端部が突出している。第２基板１８の第１基板１６から突出した部分には、集積回路チップ２２（例えば半導体チップ）が搭載され、フレキシブル配線基板２４が取り付けられている。集積回路チップ２２よりも第２基板１８の先端に近い位置にフレキシブル配線基板２４が取り付けられている。集積回路チップ２２は、液晶を駆動するためのドライバ回路（図示せず）を内蔵する。フレキシブル配線基板２４は、液晶表示パネル１０１及び集積回路チップ２２と電気的に接続されている。
【００２１】
図４はパネル基板１０側から見たフレーム２６の平面図である。パネル基板１０の裏面１４に、樹脂や金属などからなるフレーム２６が取り付けられている。パネル基板１０とフレーム２６は、両面テープ２８で固定されている。フレーム２６の第１部分３０は、パネル基板１０の裏面１４に対向する。詳しくは、第１部分３０は枠状になっており、液晶表示パネル１０１の端部に対向する。したがって、第１部分３０の枠に囲まれたスペースに、パネル基板１０の裏面１４が向くようになっている。矩形のフレーム２６の内側には矩形の空間３１がある。空間３１には、後述するバックライトが収納される。この空間３１に隣接し且つ空間３１を全周から囲んでフレーム２６の第１部分３０が配置されている。また、第１部分３０の外側に、フレーム２６の３辺に沿って第２部分３２が配置されている。第２部分３２が形成されていない辺に対向する第２基板１８には、前述の集積回路チップ２２及びフレキシブル配線基板２４が取り付けられている。
【００２２】
図２に示すように、フレーム２６の第２部分３２は、パネル基板１０の側方で第１部分３０から立ち上がるようになっている。そして、第２部分３２は、パネル基板１０の側方に配置されている。詳しくは、第２部分３２の上面（表面１２と同じ方向を向く面）は、パネル基板１０の裏面１４よりも高くなっており、さらに、パネル基板１０の表面１２よりも高くなっていてもよい。
【００２３】
フレーム２６の内側には、導光板３４を含むバックライトが配置されている。導光板３４は、点光源としての発光ダイオード（図示せず）の光を面光源に変換して液晶表示パネル１０１に照射するためのものである。
【００２４】
液晶表示パネル１０１と導光板３４の間には光学シート群３６が配置されている。光学シート群３６は、拡散シート及びプリズムシートなどを含む。また、導光板３４の下（光学シート群３６とは反対側）には反射シート３８が配置されている。反射シート３８は両面テープ１２８でフレーム２６（詳しくは第１部分３０）に固定されている。
【００２５】
パネル基板１０の表面１２側には電子パネル４０が重ねられている。電子パネル４０は、静電容量方式などのタッチパネルであってもよいし、裸眼立体視を実現するための視差バリアパネル（例えば３Ｄ視差バリア液晶パネル）であってもよい。
【００２６】
電子パネル４０は、柔軟性を有する接着剤又は粘着剤（図示せず）によって液晶表示パネル１０１に貼り付けられている。液晶表示パネル１０１に偏光板２０が貼り付けられているときは、電子パネル４０は、偏光板２０に貼り付けられている。言い換えると、偏光板２０及びその両面の接着剤又は粘着剤によって、電子パネル４０はパネル基板１０に貼り付けられている。
【００２７】
電子パネル４０は、パネル基板１０からはみ出す突出端部４２を有する。例えば、電子パネル４０の外周端部全体がパネル基板１０からはみ出していてもよいが、本実施形態では、電子パネル４０の外周端部の一部がパネル基板１０からはみ出し、残りの部分はパネル基板１０からはみ出さない。なお、偏光板２０の面方向（Ｘ−Ｙ方向）の外形はパネル基板１０の外形よりも小さく、また、偏光板２０はパネル基板１０からはみ出さないように貼り付けられるため、パネル基板１０の面方向の外形と液晶表示パネル１０１の面方向の外形は同じである。
【００２８】
図２に示すように、第２部分３２が、電子パネル４０の突出端部４２に近づく方向に、フレーム２６の第１部分３０から立ち上がっている。また、電子パネル４０の突出端部４２は、フレーム２６の第２部分３２と非接着状態で対向する。本願明細書で「非接着状態」とは、接着及び粘着のいずれもなされていない状態であるが、接触していることは妨げない。第２部分３２の電子パネル４０の突出端部４２と対向する面は、パネル基板１０の裏面１４よりも、電子パネル４０の突出端部４２に近い。電子パネル４０の突出端部４２と第２部分３２との間のギャップＧ１は、０．１５ｍｍ以内であることが好ましい。
【００２９】
電子パネル４０の外周端部は、パネル基板１０からはみ出す突出端部４２の他に、図３に示すように、液晶表示パネル１０１（第２基板１８）に対向する対向端部４４を有している。電子パネル４０は、矩形の平面形状を有しており、矩形の３辺が突出端部４２の先端であり、矩形の残りの１辺が対向端部４４の先端である。
【００３０】
電子パネル４０の対向端部４４とパネル基板１０との間にスペーサ４６が介在している。スペーサ４６は樹脂（例えばＰＥＴ（ポリエチレンテレフタレート））からなる。スペーサ４６は、パネル基板１０の第１基板１６（例えばその端部）に搭載されている。スペーサ４６は第２基板１８との接触を避けているが、図３に示すように、第１基板１６からはみ出して第２基板１８の上方に張り出していてもよい。スペーサ４６は、パネル基板１０の表面１２（正確には第１基板１６の外側面）の端部に位置する。電子パネル４０（対向端部４４）とスペーサ４６は、少なくとも非接着状態であり、非接触であることが好ましいが、両者間のギャップＧ２は０．１ｍｍ以内であることが好ましい。また、電子パネル４０（対向端部４４）及び集積回路チップ２２も、少なくとも非接着状態であり、非接触であることが好ましい。なお、図１に示すように、電子パネル４０の対向端部４４には、その内部回路と電気的に接続されたフレキシブル配線基板１２４が取り付けられている。
【００３１】
本実施形態によれば、パネル基板１０から電子パネル４０が突出するが、その突出端部４２をフレーム２６の第２部分３２がサポートできるようになっている。したがって、パネル基板１０に貼り付けられる電子パネル４０の破損を防止することができる。本実施形態では、電子パネル４０よりも小さいパネル基板１０を使用するので、１枚のマザー基板から得られるパネル基板１０の面取り数が多いので低コストの生産が可能になる。
【００３２】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００３３】
１０  パネル基板、１２  パネル基板表面、１４  パネル基板裏面、１６  第１基板、１８  第２基板、２０  偏光板、２２  集積回路チップ、２４  フレキシブル配線基板、２６  フレーム、２８  両面テープ、３０  第１部分、３１  空間、３２  第２部分、３４  導光板、３６  光学シート群、３８  反射シート、４０  電子パネル、４２  突出端部、４４  対向端部、４６  スペーサ、１０１  液晶表示パネル、１２４  フレキシブル配線基板、１２８  両面テープ。
【図１】
0005554202.tif 000002
【図２】
0005554202.tif 000003
【図３】
0005554202.tif 000004
【図４】
0005554202.tif 000005